(57)【要約】【課題】  本発明は目地プレートの移動量を大きく設定してもカバープレートが撓んだりするのを効率よく防止でき、安全に使用することができるとともに、左右の建物が曲がるように揺れ動いても、損傷することなく、その揺れ動きを吸収することができる床用目地装置を【解決手段】  一方の建物の通路の外壁面に形成された開口部の下部位置に設置されたガイドレールと、このガイドレールに沿ってスライド移動可能に後端部が取付けられ、先端部が目地部を介して設けられた他方の建物の通路の床面にスライド移動可能に支持された目地プレートと、この目地プレートの先端部の左右方向のスライド移動を可能に、他方の建物の躯体に取付けられたカバープレートを備える床用目地装置において、目地プレートを左右方向にスライド移動できる係合部で係合させた複数個の分割目地プレートと、この複数個の分割目地プレートの後端部のほぼ中央部を枢支ピンを介して取付けられたガイドレールに沿って移動するスライダーとで床用目地装置を構成している。【選択図】  図２
2006322265.tif 000002
【特許請求の範囲】
【請求項１】
一方の建物の通路の外壁面に形成された開口部の下部位置の躯体にほぼ水平方向に設置されたガイドレールと、このガイドレールに沿ってスライド移動可能に後端部が取付けられ、先端部が目地部を介して設けられた他方の建物の通路の床面にスライド移動可能に支持された目地プレートと、この目地プレートの先端部の左右方向のスライド移動を可能に、前記他方の建物の通路を構成する躯体に取付けられたカバープレートを備える床用目地装置において、前記目地プレートを左右方向にスライド移動できる係合部で係合させた複数個の分割目地プレートと、この複数個の分割目地プレートの後端部のほぼ中央部を枢支ピンを介して取付けられたガイドレールに沿って移動するスライダーとで構成したことを特徴とする床用目地装置。
【請求項２】
一方の建物の通路の外壁面に形成された開口部の下部位置の躯体にほぼ水平方向に設置されたガイドレールと、このガイドレールに沿ってスライド移動可能に後端部が取付けられ、先端部が目地部を介して設けられた他方の建物の通路の床面にスライド移動可能に支持された目地プレートと、この目地プレートの先端部の左右方向のスライド移動を可能に、前記他方の建物の通路を構成する躯体に取付けられたカバープレートを備える床用目地装置において、前記目地プレートを左右方向にスライド移動できる係合部で係合させた複数個の分割目地プレートと、この複数個の分割目地プレートの後端部のほぼ中央部を枢支ピンを介して取付けられたガイドレールに沿って移動するスライダーとで構成するとともに、通常時には目地プレートの先端部が位置しない前記カバープレートの下部に、該カバープレートを支持できるように他方の建物の通路の床面に取付けられた回動可能な支持片と、この支持片を常時カバープレートを支持するように立設状態に位置させる付勢機構とからなる支持具を複数個配置したカバープレート支持機構を備えたことを特徴とする床用目地装置。
【請求項３】
一方の建物の通路の外壁面に形成された開口部の下部位置の躯体にほぼ水平方向に設置されたガイドレールと、このガイドレールに沿ってスライド移動可能に後端部が取付けられ、先端部が目地部を介して設けられた他方の建物の通路の床面にスライド移動可能に支持された目地プレートとを備える床用目地装置において、前記目地プレートを左右方向にスライド移動できる係合部で係合させた複数個の分割目地プレートと、この複数個の分割目地プレートの後端部のほぼ中央部を枢支ピンを介して取付けられたガイドレールに沿って移動するスライダーとで構成したことを特徴とする床用目地装置。
【請求項４】
一方の建物の通路の外壁面に形成された開口部の下部位置の躯体にほぼ水平方向に設置されたガイドレールと、このガイドレールに沿ってスライド移動可能に後端部が取付けられ、先端部が目地部を介して設けられた他方の建物の通路の床面にスライド移動可能に支持された目地プレートと、この目地プレートの先端部の左右方向のスライド移動を可能に、前記他方の建物の通路を構成する躯体に取付けられたカバープレートを備える床用目地装置において、通常時には目地プレートの先端部が位置しない前記カバープレートの下部に、該カバープレートを支持できるように他方の建物の通路の床面に取付けられた回動可能な支持片と、この支持片を常時カバープレートを支持するように立設状態に位置させる付勢機構とからなる支持具を複数個配置したカバープレート支持機構を備えたことを特徴とする床用目地装置。
【請求項５】
一方の建物の通路の外壁面に形成された開口部の下部位置の躯体に後端部が取付けられ、先端部が目地部を介して設けられた他方の建物の通路の床面にスライド移動可能に支持された目地プレートと、この目地プレートの先端部の左右方向のスライド移動を可能に、前記他方の建物の通路を構成する躯体に取付けられたカバープレートを備える床用目地装置において、通常時には目地プレートの先端部が位置しない前記カバープレートの下部に、該カバープレートを支持できるように他方の建物の通路の床面に取付けられた回動可能な支持片と、この支持片を常時カバープレートを支持するように立設状態に位置させる付勢機構とからなる支持具を複数個配置したカバープレート支持機構を備えたことを特徴とする床用目地装置。
【請求項６】
カバープレート支持機構の支持片のカバープレートと当接する部位にはローラーが設置されていることを特徴とする請求項２、４、５いずれかに記載の床用目地装置。
【発明の詳細な説明】
【技術分野】
【０００１】
本発明は目地部を介して設けられた左右の建物の通路を連通させる床用目地装置に関する。
【背景技術】
【０００２】
従来、この種の床用目地装置は一方の建物の外部通路の外壁に形成された渡り通路用開口部の両側部を覆い、かつ両側方向にスライド移動可能に該外壁に取付けられた外部通路側スライド側壁と、この外部通路側スライド側壁の開口端部側に一端部が固定的あるいは回動可能に取付けられ、他端部が前記渡り通路用開口部と目地部を介して連通するように、他方の建物より突出するように設けられた渡り通路の両側にスライド移動可能に取付けられた渡り通路側スライド側壁と、一端部が前記渡り通路の床面にスライド移動可能に支持され、他端部が前記外部通路の床面にスライド移動可能に支持された目地プレートと、一端部が前記外部通路側スライド側壁のほぼ中央部に左右方向に回動可能に枢支され、他端部が前記渡り通路の床面ほぼ中央に前後方向にスライド移動可能に取付けられた作動軸と、一端が前記外部通路側スライド側壁に取付けられ、他端が前記渡り通路の床面に取付けられた中央部の枢支ピンで前記目地プレートのほぼ中央部を回動可能に枢支する目地プレートを常時ほぼ中央部に位置させることができる中央維持機構とで構成されている。
【０００３】
このように構成された床用目地装置は構造が複雑で、コスト高になるとともに、目地プレートの移動量を大きく設定するとカバープレートが大きくなり、該カバープレートの剛性を高めなければならないという欠点があった。
【特許文献１】特許３１５４９５７号
【発明の開示】
【発明が解決しようとする課題】
【０００４】
本発明は以上のような従来の欠点に鑑み、目地プレートの移動量を大きく設定してもカバープレートが撓んだりするのを効率よく防止でき、安全に使用することができるとともに、左右の建物が曲がるように揺れ動いても、損傷することなく、その揺れ動きを吸収することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の通路の外壁面に形成された開口部の下部位置の躯体にほぼ水平方向に設置されたガイドレールと、このガイドレールに沿ってスライド移動可能に後端部が取付けられ、先端部が目地部を介して設けられた他方の建物の通路の床面にスライド移動可能に支持された目地プレートと、この目地プレートの先端部の左右方向のスライド移動を可能に、前記他方の建物の通路を構成する躯体に取付けられたカバープレートを備える床用目地装置において、前記目地プレートを左右方向にスライド移動できる係合部で係合させた複数個の分割目地プレートと、この複数個の分割目地プレートの後端部のほぼ中央部を枢支ピンを介して取付けられたガイドレールに沿って移動するスライダーとで床用目地装置を構成している。
【発明の効果】
【０００７】
以上の説明から明らかなように、本発明にあっては次に列挙する効果が得られる。
【０００８】
（１）一方の建物の通路の外壁面に形成された開口部の下部位置の躯体にほぼ水平方向に設置されたガイドレールと、このガイドレールに沿ってスライド移動可能に後端部が取付けられ、先端部が目地部を介して設けられた他方の建物の通路の床面にスライド移動可能に支持された目地プレートと、この目地プレートの先端部の左右方向のスライド移動を可能に、前記他方の建物の通路を構成する躯体に取付けられたカバープレートを備える床用目地装置において、前記目地プレートを左右方向にスライド移動できる係合部で係合させた複数個の分割目地プレートと、この複数個の分割目地プレートの後端部のほぼ中央部を枢支ピンを介して取付けられたガイドレールに沿って移動するスライダーとで構成されているので、複数個の分割目地プレートが枢支ピンを支点として回動させることができる。
したがって、異なる前後方向の揺れ動きが生じた場合、スライダーの前後方向の移動はもちろんのこと、複数個の分割目地プレートの回動によって、その揺れ動きを確実に吸収することができる。
【０００９】
（２）前記（１）によって、複数個の分割目地プレートにしているので、現場で組立てることができ、輸送や設置作業が１個の部品が小型軽量化され、容易に行なうことができる。
【００１０】
（３）前記（１）によって、複数個の分割目地プレートは左右方向にスライド移動できる係合部で係合されているので、該係合部によって複数個の分割目地プレートの剛性を高めることができる。
【００１１】
（４）請求項２は前記（１）〜（３）と同様な効果が得られるとともに、大きな寸法のカバープレートを用いても、複数個の支持片によってカバープレートに荷重が加わっても、撓むのを効率よく阻止することができ、目地部が狭くなった場合に複数個の支持片を目地プレートの移動によって、該目地プレートの下部へもぐり込ませて目地プレートの移動のじゃまを防止することができる。
【００１２】
（５）前記（４）によって、複数個の支持片は他方の建物の通路の床面に取付けられているので、移動することなく常にカバープレートを最適状態で支持できる位置に設定することができる。
【００１３】
（６）請求項３は前記（１）〜（３）と同様な効果が得られる。
【００１４】
（７）請求項４は前記（４）、（５）と同様な効果が得られる。
【００１５】
（８）請求項５は前記（４）、（５）と同様な効果が得られるとともに、カバープレート支持機構の支持片のローラーによって、カバープレートと当接した状態で、支持片をスムーズに移動させることができる。
【発明を実施するための最良の形態】
【００１６】
以下、図面に示す本発明を実施するための最良の形態より、本発明を詳細に説明する。
【００１７】
図１ないし図  １０に示す本発明を実施するための最良の第１の形態において、１は目地部２を介して設けられた一方の建物３の通路４と、他方の建物５の通路６とを連通させる、渡り通路と称される部位に設置される本発明の床用目地装置で、この床用目地装置１は前記一方の建物３の通路４の外壁面７に形成された開口部８の下部位置の躯体７ａにほぼ水平方向に設置された内底面に所定間隔で複数個のローラ９が備えられたガイドレール１０と、このガイドレール１０に沿ってスライド移動可能に後端部が取付けられ、先端部が前記他方の建物５の目地部２側の通路６の床面６ａに形成された凹部１１にスライド移動可能に支持される目地プレート１２と、この目地プレート１２の先端部の左右方向のスライド移動を可能に、前記凹部１１を覆うように前記他方の建物５の通路６を構成する躯体６ａに取付けられたカバープレート１３と、このカバープレート１３に加わる荷重によって撓むのを防止する、前記凹部１１に取付けられたカバープレート支持機構１４とで構成されている。
【００１８】
前記目地プレート１２は前記ガイドレール１０に沿ってスライド移動するスライダー１５と、このスライダー１５の上方へ突出するように固定された複数個、本発明を実施する形態では３個の枢支ピン１６、１６、１６と、この３個の枢支ピン１６、１６、１６に両端部に位置するものが遊びを介して後端部が枢支される左右方向にスライド移動可能な３個の分割目地プレート１７、１７Ａ、１７Ｂとからなり、該３個の分割目地プレート１７、１７Ａ、１７Ｂは長方形状のフレーム１８、１８、１８と、このフレーム１８、１８、１８の上面を覆うカバー板１９、１９、１９と、このカバー板１９、１９、１９の隣り合う部位に一体形成された左右方向にスライド移動可能に係合し、前後方向に遊び用の空間２０、２０が設定されるアングル状の係合片２１、２２、２１、２２と、前記フレーム１８、１８、１８の先端部の両側面にそれぞれ取付けられるローラ２３、２３と、
前記カバー板１９、１９、１９の後端部をのぞく底面ほぼ中央部にフレーム１８、１８、１８との段差が生じるのを防止するために固定されたハット型鋼形状のガイド板３５、３５、３５とで構成されている。
【００１９】
前記カバープレート支持機構１４は前記分割目地プレート１７、１７Ａ、１７Ｂの先端部の凹部１１内で、該分割目地プレート１７、１７Ａ、１７Ｂに取付けられたローラ２３、２３と当接しない所定部位に２列で配置された複数個の支持具２４で構成されたもので、該複数個の支持具２４は前記凹部１１の躯体６ａに固定される取付金具２５と、この取付金具２５に下端部が枢支ピン２６で回動可能に枢支された、上部前面と下部背面が傾斜面２７、２８に形成された支持片２９と、この支持片２９を常時立設状態に位置するように付勢する付勢スプリング３０とで構成されている。
【００２０】
上記構成の床用目地装置１は通常時には複数個の分割目地プレート１７、１７Ａ、１７Ｂの先端部の凹部１１内に２列で配置された複数個の支持具２４の支持片２９でカバープレート１３を支持しているため、該カバープレート１３に荷重が加わってもカバープレート１３が撓んだりするのが防止される。
【００２１】
地震等によって一方の建物３と他方の建物５が異なる左右方向に揺れ動いて目地部２が広くなるように動くと、図７に示すように複数個の分割目地プレート１７、１７Ａ、１７Ｂの先端部のローラ２３、２３が凹部１１上を転がり、複数個の分割目地プレート１７、１７Ａ、１７Ｂがカバープレート１３より突出する方向にスライド移動して、その揺れ動きを吸収する。
【００２２】
目地部２が狭くなるように動くと、図８に示すように複数個の分割目地プレート１７、１７Ａ、１７Ｂの先端部が押し込まれた状態となるが、この時、分割目地プレート１７、１７Ａ、１７Ｂの先端部で複数個の支持具２４の支持片２９の上部傾斜面２７部位を押し圧して、付勢スプリング３０の付勢力に抗して回動させて、分割目地プレート１７、１７Ａ、１７Ｂの底面内へ入りこんで、その移動のじゃまをしない。
【００２３】
また、分割目地プレート１７、１７Ａ、１７Ｂが元の状態に戻ると、支持具２４の付勢スプリング３０の付勢力によって、支持片２９を立設状態に位置させてカバープレート１３を支持する。
【００２４】
異なる前後方向へ揺れ動いた場合には、図９に示すように複数個の分割目地プレート１７、１７Ａ、１７Ｂの後端部のスライダー１５がガイドレール１０に沿ってスライド移動して、その揺れ動きを吸収する。
また、異なる前後方向でかつ前後部の幅寸法が異なるように揺れ動いた場合には、図１０に示すようにスライダー１５がガイドレール１０に沿ってスライド移動するとともに、スライダー１５の枢支ピン１６、１６、１６を支点として複数個の分割目地プレート１７、１７Ａ、１７Ｂが回動して、その揺れ動きを吸収する。この時、複数個の分割目地プレート１７、１７Ａ、１７Ｂ間の遊び用の空間２０、２０によって、図１０に示すように複数個の分割目地プレート１７、１７Ａ、１７Ｂのスライド移動と回動とがスムーズで、ガイドレール１０や複数個の分割目地プレート１７、１７Ａ、１７Ｂに必要以上の負荷がかかるのを阻止することができる。
[発明を実施するための異なる形態]
【００２５】
次に、図１１ないし図３９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２６】
図１１ないし図１３に示す本発明を実施するための第２の形態において、前記本発明を実施するための最良の第１の形態と主に異なる点は、同じ左右方向に位置する支持片２９、２９の上部に枢支ピン３１、３１でチャンネル状の支持バー３２を枢支した複数個の支持具２４Ａを使用するカバープレート支持機構１４Ａを用いた点で、このようなカバープレート支持機構１４Ａを用いて構成した床用目地装置１Ａにしても、前記本発明を実施するための最良の第１の形態と同様な作用効果が得られるとともに、帯状にカバープレート１３を支持するため、支持効率を高めることができる。
【００２７】
図１４ないし図１６に示す本発明を実施するための第３の形態において、前記本発明を実施するための最良の第１の形態と主に異なる点は、複数個の分割目地プレート１７、１７Ａ、１７Ｂの先端部を他方の建物５の通路６の床面上をスライド移動できるように支持させる目地プレート１２Ａを用いるとともに、反目地部側に傾斜面３３が形成されたカバープレート１３Ａを用いた点で、このように構成した床用目地装置１Ｂにしても、前記本発明を実施するための最良の第１の形態と同様な作用効果が得られる。
【００２８】
図１７ないし図１９に示す本発明を実施するための第４の形態において、前記本発明を実施するための最良の第１の形態と主に異なる点は、分割しない１枚の大きな目地プレート１２Ｂを用いた点で、このような目地プレート１２Ｂを用いて構成した床用目地装置１Ｃにしても、カバープレート１３の撓みを確実に防止することができる。
【００２９】
図２０ないし図２２に示す本発明を実施するための第５の形態において、前記本発明を実施するための第３の形態と主に異なる点は、複数個の分割目地プレート１７、１７Ａ、１７Ｂの先端部を傾斜面３４、３４、３４に形成した目地プレート１２Ｃを用い、カバープレートを使用しない構成にした点で、このように構成した床用目地装置１Ｄにしてもよい。
【００３０】
図２３および図２４に示す本発明を実施するための第６の形態において、前記本発明を実施するための最良の第１の形態と主に異なる点は、他方の建物５の目地部２側の通路６の床面６ａにスライド板３６を固定し、先端部が該スライド板３６上をスライド移動する厚鉄板で形成した分割目地プレート１７Ｃ、１７Ｃ、１７Ｃを用いた点で、このように構成した床用目地装置１Ｅにしてもよい。
【００３１】
図２５および図２６に示す本発明を実施するための第7の形態において、前記本発明を実施するための第６の形態と主に異なる点は、先端部が傾斜面になるようにフレーム１８Ａの上面をカバー板１９Ａで覆った分割目地プレート１７Ｄ、１７Ｄ、１７Ｄを用いた点で、このように構成した床用目地装置１Ｆにしてもよい。
【００３２】
図２7および図２８に示す本発明を実施するための第８の形態において、前記本発明を実施するための第６の形態と主に異なる点は、両端部の分割目地プレート１７Ｄ、１７Ｄの外側端部にアングル状の手摺板３７、３７を固定した点で、
このように構成した床用目地装置１Ｇにしてもよい。
【００３３】
図２９ないし図３２に示す本発明を実施するための第９の形態において、前記本発明を実施するための最良の第１の形態と主に異なる点は、他方の建物５の目地部２側へ突出する他方のスラブ３８の上面にスライド板３６を固定し、この他方のスラブ３８の先端部の下部に位置する一方の建物５より目地部２側へ突出する一方のスラブ３９の上面を覆うように分割目地プレート１７、１７、１７を設置し、通常時には前記一方のスラブ３９のほぼ中央部にスライド移動できるように複数個のローラ４０を介して後端部が支持され、先端部が前記他方のスラブ３８のスライド板３６のほぼ中央部に位置する中央目地プレート４１を設置した点で、このように構成した床用目地装置１Ｈにしてもよい。
【００３４】
図３３および図３４に示す本発明を実施するための第１０の形態において、前記本発明を実施するための最良の第１の形態と主に異なる点は、支持片２９の先端部にローラー４２を設置したカバープレート支持機構１４Bを用いた点で、このように構成されたカバープレート支持機構１４Bを用いた床用目地装置１Ｉにしても前記本発明を実施するための最良の第１の形態と同様な作用効果が得られるとともに、カバープレート１３を支持しているカバープレート支持機構１４Bの支持片２９をスムーズに移動させることができる。
なお、本発明の実施の形態は前記本発明を実施するための第４の形態にも同様に使用することができる。
【００３５】
図３５および図３６に示す本発明を実施するための第１１の形態において、前記本発明を実施するための第２の形態と主に異なる点は、支持片２９、２９の先端部にローラー４２、４２を設置したカバープレート支持機構１４Ｃを用いた点で、このように構成されたカバープレート支持機構１４Ｃを用いた床用目地装置１Ｊにしても前記本発明を実施するための第２の形態と同様な作用効果が得られるとともに、カバープレート１３を支持しているカバープレート支持機構１４Ｃの支持片２９、２９をスムーズに移動させることができる。
なお、本発明の実施の形態は前記本発明を実施するための第４の形態にも同様に使用することができる。
【００３６】
図３７ないし図３９に示す本発明を実施するための第１２の形態において、前記本発明を実施するための第２の形態と主に異なる点は、目地プレート１２の後端部を一方の建物３の通路４の外壁面７に形成された開口部８の下部位置の躯体７ａに取付けるとともに、先端部の下面を支持具２４Ａを容易に回動できるように傾斜面１２ａに形成した点で、このように構成した床用目地装置１Kにしても前記本発明を実施するための第２の形態と同様な作用効果が得られる。
なお、本発明の実施の形態は前記本発明を実施するための第４の形態にも同様に使用することができる。
【００３７】
なお、前記本発明の各実施の形態ではガイドレール１０内に複数個のローラ９が取付けられたものについて説明したが、本発明はこれに限らず、ベアリングやスベリ材を設置したものであってもよい。
また、ガイドレール１０には何も設置することなく、スライダー１５の底面にローラ、ベアリング、スベリ材を設置してもよい。また、目地プレートを２分割や３分割以上に分割してもよい。
【産業上の利用可能性】
【００３８】
本発明は床用目地装置を製造する産業で利用される。
【図面の簡単な説明】
【００３９】
【図１】本発明を実施するための最良の第１の形態の平面図。
【図２】図１の２−２線に沿う拡大断面図。
【図３】図１の３−３線に沿う拡大断面図。
【図４】本発明を実施するための最良の第１の形態のカバープレートを外した状態の平面図。
【図５】本発明を実施するための最良の第１の形態の目地プレートの説明図。
【図６】本発明を実施するための最良の第１の形態の支持具の説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための最良の第１の形態の異なる前後方向の動作説明図。
【図１０】本発明を実施するための最良の第１の形態の前後方向の幅が異なる動作説明図。
【図１１】本発明を実施するための第２の形態の平面図。
【図１２】図１１の１２−１２線に沿う拡大断面図。
【図１３】本発明を実施するための第２の形態のカバープレートを外した状態の平面図。
【図１４】本発明を実施するための第３の形態の平面図。
【図１５】図１４の１５−１５線に沿う拡大断面図。
【図１６】本発明を実施するための第３の形態のカバープレートの説明図。
【図１７】本発明を実施するための第４の形態の平面図。
【図１８】図１７の１８−１８線に沿う拡大断面図。
【図１９】本発明を実施するための第４の形態の目地プレートの説明図。
【図２０】本発明を実施するための第５の形態の平面図。
【図２１】図２０の２１−２１線に沿う拡大断面図。
【図２２】本発明を実施するための第５の形態の目地プレートの説明図。
【図２３】本発明を実施するための第６の形態の平面図。
【図２４】図２３の２４−２４線に沿う拡大断面図。
【図２５】本発明を実施するための第７の形態の平面図。
【図２６】図２５の２６−２６線に沿う拡大断面図。
【図２７】本発明を実施するための第８の形態の平面図。
【図２８】図２７の２８−２８線に沿う拡大断面図。
【図２９】本発明を実施するための第９の形態の平面図。
【図３０】図２９の３０−３０線に沿う拡大断面図。
【図３１】本発明を実施するための第９の形態の目地部が広くなった動作説明図。
【図３２】本発明を実施するための第９の形態の目地部が狭くなった動作説明図。
【図３３】本発明を実施するための第１０の形態の平面図。
【図３４】図３３の３４−３４線に沿う拡大断面図。
【図３５】本発明を実施するための第１１の形態の平面図。
【図３６】図３５の３６−３６線に沿う拡大断面図。
【図３７】本発明を実施するための第１２の形態の平面図。
【図３８】図３７の３８−３８線に沿う拡大断面図。
【図３９】図３７の３９−３９線に沿う拡大断面図。
【符号の説明】
【００４０】
１、１Ａ〜１Ｋ：床用目地装置、            
２：目地部、                  ３：一方の建物、
４：通路、                    ５：他方の建物、
６：通路、                    ７：外壁面、
８：開口部、                  ９：ローラ、
１０：ガイドレール、          １１：凹部、
１２、１２Ａ〜１２Ｃ：目地プレート、
１３、１３Ａ：カバープレート、
１４、１４Ａ、１４Ｂ、１４Ｃ：カバープレート支持機構、
１５：スライダー、            １６：枢支ピン、
１７、１７Ａ、１７Ｂ、１７Ｃ、１７Ｄ：分割目地プレート、
１８、１８Ａ：フレーム、            １９、１９Ａ：カバー板、
２０：遊び空間、              ２１、２２：係合片、
２３：ローラ、                ２４、２４Ａ：支持具、
２５：取付金具、              ２６：枢支ピン、
２７：上部傾斜面、            ２８：下部傾斜面、
２９：支持片、                ３０：付勢スプリング、
３１：枢支ピン、              ３２：支持バー、
３３：傾斜面、                ３４：傾斜面、
３５：ガイド板、              ３６：スライド板、
３７：手摺板、                ３８：他方のスラブ、
３９：一方のスラブ、          ４０：ローラ、
４１：中央目地プレート、      ４２：ローラー。
【図１】
2006322265.tif 000003
【図２】
2006322265.tif 000004
【図３】
2006322265.tif 000005
【図４】
2006322265.tif 000006
【図５】
2006322265.tif 000007
【図６】
2006322265.tif 000008
【図７】
2006322265.tif 000009
【図８】
2006322265.tif 000010
【図９】
2006322265.tif 000011
【図１０】
2006322265.tif 000012
【図１１】
2006322265.tif 000013
【図１２】
2006322265.tif 000014
【図１３】
2006322265.tif 000015
【図１４】
2006322265.tif 000016
【図１５】
2006322265.tif 000017
【図１６】
2006322265.tif 000018
【図１７】
2006322265.tif 000019
【図１８】
2006322265.tif 000020
【図１９】
2006322265.tif 000021
【図２０】
2006322265.tif 000022
【図２１】
2006322265.tif 000023
【図２２】
2006322265.tif 000024
【図２３】
2006322265.tif 000025
【図２４】
2006322265.tif 000026
【図２５】
2006322265.tif 000027
【図２６】
2006322265.tif 000028
【図２７】
2006322265.tif 000029
【図２８】
2006322265.tif 000030
【図２９】
2006322265.tif 000031
【図３０】
2006322265.tif 000032
【図３１】
2006322265.tif 000033
【図３２】
2006322265.tif 000034
【図３３】
2006322265.tif 000035
【図３４】
2006322265.tif 000036
【図３５】
2006322265.tif 000037
【図３６】
2006322265.tif 000038
【図３７】
2006322265.tif 000039
【図３８】
2006322265.tif 000040
【図３９】
2006322265.tif 000041